(57)【特許請求の範囲】
【請求項１】
被写体像を形成する撮影レンズと、前記撮影レンズが形成した被写体像を電気信号に変換する撮像デバイスと、接眼レンズ群と、前記撮影レンズと前記撮像デバイスとの間の空間において、前記撮影レンズから射出された光を前記接眼レンズ群へ向けて反射する位置と、前記光の光路外へ退避した位置との間で往復移動可能に設置されたクリックリターンミラーと、前記クイックリターンミラーと前記撮像デバイスとの間に設置されたフォーカルプレーンシャッタと、前記フォーカルプレーンシャッタと前記撮像デバイスとの間に設置された光学素子とを備える電子カメラにおいて、
電極に高電圧を印加して放電させることにより前記電極の周囲の空気をイオン化させるイオン発生装置と、
入力装置に接続されているとともに、前記クリックリターンミラーの動作，前記フォーカルプレーンシャッタの動作及び前記イオン発生装置の動作を制御する制御回路とを更に備え、
前記制御回路は、前記入力装置が操作させると、前記フォーカルプレーンシャッタを開放して前記イオン発生装置に駆動電流を供給するとともに、前記クリックリターンミラーを往復移動させ、その後、前記クリックリターンミラーを停止させて前記フォーカルプレーンシャッタを閉じる
ことを特徴とするする電子カメラ。
【請求項２】
前記入力装置はシャッタボタンを兼ねており、前記制御回路は、前記シャッタボタンが押されると、前記フォーカルプレーンシャッタ，前記クイックリターンミラー及び前記撮像デバイスを動作させて露光を行った後に、前記フォーカルプレーンシャッタを開放して前記イオン発生装置に駆動電流を供給するとともに、前記クリックリターンミラーを往復移動させ、その後、前記クリックリターンミラーを停止させて前記フォーカルプレーンシャッタを閉じる
ことを特徴とする請求項１記載の電子カメラ。
【発明の詳細な説明】
【０００１】
【発明の属する技術分野】
本発明は、撮影レンズが形成した被写体像を撮像する撮像デバイスを備える電子カメラに、関する。
【０００２】
【従来の技術】
近年、静止画像又は動画像を電子的に保存する電子スチルカメラやビデオカメラが、急速に普及している。これらのいわゆる電子カメラは、撮影レンズが形成した被写体像を撮像デバイスによって画素毎の電気信号に変換して（さらに、その電気信号をアナログデジタル変換して）画像データとして記録媒体に記録する機能を、有している。
【０００３】
その撮像デバイスを内蔵する電子カメラは、一般に、ローパスフィルタや赤外線吸収フィルタ等の各種のフィルタを、撮影レンズと撮像デバイスとの間に、備えている。
【０００４】
このようにローパスフィルタを光路中に配置するのは、撮像デバイスが、規則的に列ぶ複数の画素を受光面に備えているために、その画素間隔で決まる標本化空間周波数に近似した空間周波数成分を有する被写体が撮像されると、被写体の画像データにモアレが現れてしまうからである。そのため、被写体光をローパスフィルタに透過させて、被写体像の空間周波数の中から、標本化空間周波数成分近傍の空間周波数成分を、低減させている。具体的には、ローパスフィルタは、水晶やリチウムナイオベート等からなる複屈折板を複数枚貼り合せることにより一枚の光学的なフィルタとして形成されている。そして、一般的には、撮影光学系によって形成される被写体像を４つの被写体像に分離して、上下左右に半画素間隔ずつズレた４重像を受光面に形成することによって高周波数成分を平均化している。
【０００５】
また、赤外線吸収フィルタを光路中に配置するのは、被写体光の中から赤外波長成分を除去するためである。これは、撮像デバイスが人間の目と異なる分光感度を有し、可視光の他に赤外光を受光してしまうからである。
【０００６】
【発明が解決しようとする課題】
しかしながら、上述した各種のフィルタの表面には、静電気によって塵埃が付着し易い。このため、フィルタに付着した塵埃が、撮像デバイスが得る画像の画質を、著しく低下させていた。
【０００７】
特に、リチウムナイオベート等のように焦電性を有する強誘電性結晶が用いられるローパスフィルタは、僅かな温度変化で表面に分極電荷を発生させる（これを焦電気又はピロ電気という）ために、カメラ内部の塵埃を引き寄せ易い。
【０００８】
また、フィルタが、撮像デバイスの受光面に接着されずに、その受光面との間に隙間を有する状態で設置されている場合には、静電気によって撮像デバイスの受光面に塵埃が付着してしまうため、撮像デバイスが得る画像の画質が、低下してしまう。
【０００９】
さらに、ブロワやスプレー等を用いて空気を吹き付けたり、ブラシや布などを用いて拭き取ることにより、フィルタや撮像デバイスの受光面に付着した塵埃を取り除くこともできるが、フィルタや撮像デバイスが帯電していると、取り除いた塵埃が帯電電荷によってフィルタや受光面に引き戻されるために、塵埃を除去し難かった。
【００１０】
そこで、本発明の課題は、カメラの内部、特に、撮影レンズと撮像デバイスとの間に配置される各種のフィルタや撮像デバイスの受光面が帯びる電荷を除去して塵埃を付着し難くすることにより、撮像デバイスが得る画像の画質の低下を抑制することができる電子カメラを、提供することにある。
【００１１】
【課題を解決するための手段】
上記の課題を達成するために構成された本発明は、被写体像を形成する撮影レンズと、前記撮影レンズが形成した被写体像を電気信号に変換する撮像デバイスと、接眼レンズ群と、前記撮影レンズと前記撮像デバイスとの間の空間において、前記撮影レンズから射出された光を前記接眼レンズ群へ向けて反射する位置と、前記光の光路外へ退避した位置との間で往復移動可能に設置されたクリックリターンミラーと、前記クイックリターンミラーと前記撮像デバイスとの間に設置されたフォーカルプレーンシャッタと、前記フォーカルプレーンシャッタと前記撮像デバイスとの間に設置された光学素子とを備える電子カメラにおいて、電極に高電圧を印加して放電させることにより前記電極の周囲の空気をイオン化させるイオン発生装置と、入力装置に接続されているとともに、前記クリックリターンミラーの動作，前記フォーカルプレーンシャッタの動作及び前記イオン発生装置の動作を制御する制御回路とを更に備え、前記制御回路は、前記入力装置が操作させると、前記フォーカルプレーンシャッタを開放して前記イオン発生装置に駆動電流を供給するとともに、前記クリックリターンミラーを往復移動させ、その後、前記クリックリターンミラーを停止させて前記フォーカルプレーンシャッタを閉じることを、特徴とする。
【００１２】
このように構成されると、電源回路によって駆動電流が除電装置へ入力された場合には、除電装置が、前記撮影レンズと前記撮像デバイスとの間に存在する光学素子に帯電する電荷を、除去する。
【００１３】
従って、電子カメラに内蔵されるフィルタや撮像デバイスの受光面には塵埃が付着し難くなるので、撮像デバイスが得る画像の画質が低下することが少なくなる。
【００１４】
本発明の電子カメラでは、除電装置は、イオン発生装置でも良いし、除電ブラシ装置でも良い。除電装置がイオン発生装置の場合は、放電により電極周りの空気をイオン化し、そのイオン化された空気をフィルタや撮像デバイスの受光面に接触させることにより帯電電荷を減少させる。また、除電装置が除電ブラシ装置である場合は、接地された導電性を有するブラシをフィルタに接触させることにより、フィルタの帯電電荷を放電させる。
【００１５】
また、除電装置がイオン発生装置の場合には、イオン化された空気が広範囲に拡散するように、攪拌機構を備えても良い。この攪拌機構は、ブロワなどの送風装置でも良いし、電子カメラが一眼レフ型のカメラである場合には、クイックリターンミラーを数回往復するよう駆動させることにより空気を攪拌する機構であっても良い。
【００１６】
さらに、電源回路に除電装置への電流供給開始を指示するための入力装置を設けても良い。この入力装置としては、ボタンが設けられても良いし、シャッタボタンが兼用されても良い。
【００１７】
前者のように入力装置がボタンである場合は、撮影状態又は非撮影状態に関係なく操作者は所望する時にフィルタや撮像デバイスの受光面の除電を実行することができる。
【００１８】
一方、後者のように入力装置としてシャッタボタンが兼用される場合は、撮影状態における露光直前又は露光直後に、除電ブラシ装置のブラシやクイックリターンミラーを駆動させてフィルタや撮像デバイスの受光面の除電を行うように設定されても良いし、或いは、ファインダー観察状態から撮影状態に切り替えられる時のクイックリターンミラーの駆動に合わせて、フィルタや撮像デバイスの受光面の除電を行うように設定されても良い。
【００１９】
また、ファインダー観察状態から撮影状態に切り替えられる時のクイックリターンミラーの駆動に合わせて除電を行う際には、クイックリターンミラーの往復に合わせて除電ブラシ装置のブラシを往復させても良いし、そのクイックリターンミラーの往復を空気の攪拌に利用しても良い。後者の場合、シャッタボタンを押下して撮影を行ったときの１回の往復により空気が攪拌されることになる。
【００２０】
【発明の実施の形態】
以下、本発明に係る電子カメラの実施形態について図面を参照しながら説明する。
【００２１】
【実施形態１】
図１は、本発明の電子カメラの第１実施形態であるデジタルカメラ１の概略光学構成を示す断面図である。また、図２は、本例のデジタルカメラ１の概略内部構成を示すブロック図である。
【００２２】
本実施形態のデジタルカメラ１は、撮影レンズ２１，絞り２２，クイックリターンミラー２３，フォーカルプレーンシャッタ２４，ローパスフィルタ２５ａ，赤外線吸収フィルタ２５ｂ，ＣＣＤエリアセンサ２６，焦点板２７，ペンタゴナルダハプリズム２８，第１乃至第３レンズ２９ａ〜２９ｃからなる接眼レンズ群２９，集光レンズ３０，及び、受光素子３１を主要な光学構成としており、これら光学構成とともに制御回路４０，バッテリ６０，操作パネル７０，イオナイザ８０，及び、記録媒体１００を、筐体１０内に備えている。
【００２３】
デジタルカメラ１の筐体１０の前部（図１では左側をいう）には、撮影レンズ２１及び絞り２２を内蔵した図示せぬ交換レンズの鏡筒を取り付けるためのマウント１１が、設けられている。但し、図１は、図示せぬ交換レンズをマウント１１から取り外した状態を示している。
【００２４】
この撮影レンズ２１の光軸Ａｘは、当該交換レンズの鏡筒をマウント１１に取り付けた時に、撮像デバイスであるＣＣＤエリアセンサ２６の受光面２６ａ内の撮像領域の中心に、合致する。また、ＣＣＤエリアセンサ２６の受光面２６ａの近傍には、ローパスフィルタ２５ａ及び赤外線吸収フィルタ２５ｂが、この受光面２６ａを覆うように、平行に配置されている。撮影レンズ２１の光軸Ａｘは、これらローパスフィルタ２５ａ，赤外線吸収フィルタ２５ｂ及び受光面２６ａの夫々に対して直交する。
【００２５】
さらに、撮影レンズ２１とローパスフィルタ２５ａとの間には、非撮影状態（ファインダー観察状態）の時に撮影レンズ２１の光軸Ａｘをペンタゴナルダハプリズム２８へ向けて折り曲げるクイックリターンミラー２３が、設けられている。
【００２６】
図１に示すファインダー観察状態では、撮影レンズ２１を透過した被写体光は、このクイックリターンミラー２３において反射する。その反射光は、ＣＣＤエリアセンサ２６の受光面２６ａと等価な位置にある焦点板２７上において一旦結像した後、ペンタゴナルダハプリズム２８を介して接眼レンズ群２９に入射する。そして、この接眼レンズ群２９においては、被写体の正立像が拡大観察される。
【００２７】
また、焦点板２７による散乱光を集光するための集光レンズ３０が、光軸をペンタゴナルダハプリズム２８の射出面２８ａに向けた状態で、接眼レンズ群２９の光路に侵入しない位置に設置されている。この集光レンズ３０によって集光された光を受光する受光素子３１は、受光した光の強度に応じた信号を出力する。後述する露出制御時においては、その出力信号に従って、被写体の照度が判定され（ＴＴＬ測定）、露出時の絞り２２の開口度とシャッタスピードとが決定される。
【００２８】
上述したクイックリターンミラー２３の一端辺には、ＣＣＤエリアセンサ２６の受光面２６ａと平行な回転軸２３ａが備えられており、撮影状態の時には、当該ミラー２３はこの回転軸２３ａを中心に回転駆動される。即ち、この撮影状態の時には、クイックリターンミラー２３の反射面が、撮影レンズ２１の光軸Ａｘと平行となるとともに、ＣＣＤエリアセンサ２６の受光面２６ａに対して垂直となるために、撮影レンズ２１からの被写体光が、当該ミラー２３にて反射されることなく、フィルタ２５ａ，２５ｂを透過してＣＣＤエリアセンサ２６の受光面２６ａ内の撮像領域へ入射する。
【００２９】
但し、クイックリターンミラー２３とローパスフィルタ２５ａとの間には、フォーカルプレーンシャッタ２４が、配置されており、当該シャッタ２４は、撮影状態における露出時（後述する操作パネル７０の図示せぬシャッタボタンが押された時）にのみ、先幕と後幕との間に形成される任意の間隔を持つスリットを、所定の速度で受光面２６ａの前を横切るように移動させることにより、撮影レンズ２１からの被写体光を受光面２６ａに到達させる。
【００３０】
このとき、ＣＣＤエリアセンサ２６の受光面２６ａ上に形成される被写体像は、ローパスフィルタ２５ａによって、受光面２６ａ内における上下左右に半画素間隔ずつズレた４重像として形成される。また、受光面２６ａに入射する被写体光からは、赤外線吸収フィルタ２５ｂによって、その赤外波長成分が除去されている。
【００３１】
これらローパスフィルタ２５ａ及び赤外線吸収フィルタ２５ｂの近傍には、これらの表面にイオン化された空気を供給するためのイオナイザ８０が、設置されている。このイオナイザ８０は、接地された略円筒状のアース電極８２，このアース電極８２の中心に設けられる針状電極８１，高電圧回路８３，及び、インバータ８４を備えたイオン発生装置であり、針状電極８１をローパスフィルタ２５ａ及び赤外線吸収フィルタ２５ｂへ向けた状態で、筐体１０内に配置されている。
【００３２】
このイオナイザ８０のインバータ８４は、筐体１０内のバッテリ６０から供給される直流電圧を交流に変換する。この交流電圧は、高電圧回路８３内の変圧器によって昇圧され、高電圧ケーブルＣを介して針状電極８１に供給される。高電圧が印加された針状電極８１の周囲には、放電が生じ、周囲の空気がイオン化される。
【００３３】
このイオナイザ８０に電源を供給するバッテリ６０は、筐体１０から取り外すことができるとともに繰り返し充電をすることができ、筐体１０に装着されている時は、内部回路４０へも電源を供給する。
【００３４】
この内部回路４０は、図２に示すように、ＣＰＵ４１，電源回路４２，モータドライバ４３，ＣＣＤ駆動回路４４，増幅器（ＡＭＰ）４５，アナログデジタル（Ａ／Ｄ）変換器４６，ＤＳＰ（digital Signal Processor）４７，メモリコントローラ４８，内部メモリ４９，画像メモリ５０，及び、インターフェース回路５１を、備えている。
【００３５】
ＣＰＵ４１は、電源回路４２，モータドライバ４３，ＣＣＤ駆動回路４４，ＤＳＰ４７，メモリコントローラ４８，インターフェース回路５１，操作パネル７０，及び、イオナイザ８０に接続された中央処理装置であり、これらデバイスを統合的に制御することにより本デジタルカメラ１の制御部として機能する。
【００３６】
内部メモリ４９は、ＣＰＵ４１によって実行される各種のプログラム及びデータが記録されたメモリである。画像メモリ５０は、画像データを記憶するメモリである。
【００３７】
メモリコントローラ４８は、ＣＰＵ４１の命令に従って、内部メモリ４９から画像メモリ５０へデータを転送する処理や，画像メモリ５０からＤＳＰ４７へデータを転送する処理，ＤＳＰ４７から画像メモリ５０へデータを転送する処理を行う。
【００３８】
モータドライバ４３は、ＣＰＵ４１の命令に従って、露出制御時における絞り２２の開口度の調整やフォーカルプレーンシャッタ２４の動作を制御するとともに、後述するイオナイザ制御処理においては、図示せぬモータを制御することにより回転軸２３ａを介してクイックリターンミラー２３の動作を制御する。
【００３９】
また、ＣＰＵ４１からの命令に従って動作するＣＣＤ駆動回路４４に制御されるＣＣＤエリアセンサ２６は、受光面２６ａ上に形成される被写体像を光電変換することにより画素信号として読み出し、その画素信号をＡＭＰ４５に送る。ＡＭＰ４５で増幅された画素信号は、Ａ／Ｄ変換器４６によってデジタル画素信号に変換された後、ＤＳＰ４７へ送られる。
【００４０】
ＤＳＰ４７は、ＣＰＵ４１の命令に従って、デジタル画素信号をデジタル画像データとして画像メモリ５０に記録する。また、ＤＳＰ４７は、ＣＰＵ４１の命令に従って、画像メモリ５０に記録されている画像データを読み出し、シェーディング補正，ガンマ補正，画像収縮又は画像拡張などの画像処理を施した後に、画像メモリ５０に記録する。
【００４１】
インターフェース回路５１は、ＣＰＵ４１の命令に従って、画像メモリ５０から読み出された画像データに所定の処理を施し、その画像データを記録媒体１００に記録する。この記録媒体１００は、筐体１０から取り外すことが可能なものであり、ＰＣカードや小型フラッシュメモリカードを用いることができる。
【００４２】
操作パネル７０は、図示せぬシャッタボタンや静電気除去ボタンを含む各種のボタン又はダイヤル等を備えており、操作者の操作による入力に対応する信号をＣＰＵ４１に出力する。その信号を受信したＣＰＵ４１は、それら信号に応じて各デバイスへ命令を出力する。例えば、図示せぬ静電気除去ボタンが操作者によって押されると、ＣＰＵ４１は、イオナイザ８０のインバータ８４に駆動開始命令を出力し、針状電極８１に高電圧を印加させる。
【００４３】
以上に示したデジタルカメラ１では、フォーカルプレーンシャッタ２４が、撮影に備えたチャージ状態、即ち、ローパスフィルタ２５ａ及び赤外線吸収フィルタ２５ｂを収容する空間を先幕により遮蔽している状態にあるときに、上述した操作パネル７０において図示せぬ静電気除去ボタンが押下されると、ＣＰＵ４１は、内部メモリ４９からイオナイザ制御プログラムを読み出し、イオナイザ制御処理を開始する。
【００４４】
図３は、イオナイザ制御処理を示すフローチャートである。
【００４５】
イオナイザ制御処理開始後の最初のＳ０１では、ＣＰＵ４１は、インバータ８４に対して駆動開始命令を出力する。すると、インバータ８４には電源が供給され始め、高電圧回路８３において昇圧された交流電圧が、針状電極８１に印加される。そして、針状電極８１の周囲には、正負の極性にイオン化された空気が発生する。また、このイオン化された空気は、同じ極性同士のイオンが反発することにより、クイックリターンミラー２３を含む空間（ミラーボックス）内に徐々に拡散する。
【００４６】
次のＳ０２の処理では、ＣＰＵ４１は、モータドライバ４３に対して駆動開始命令を出力し、フォーカルプレーンシャッタ２４の先幕を後幕から離れる方向に移動させて全開させる。これにより、撮影状態における露出時以外では当該シャッタ２４にて遮蔽されているローパスフィルタ２５ａ及び赤外線吸収フィルタ２５ｂを収容する空間がミラーボックスに対して開放される。そして、Ｓ０１の処理においてイオン化された空気が、当該空間に拡散していく。このイオン化された空気は、ローパスフィルタ２５ａ及び赤外線吸収フィルタ２５ｂなどに帯電する電荷と結びつく。
【００４７】
次のＳ０３の処理では、ＣＰＵ４１は、モータドライバ４３に対して駆動開始命令を出力して、クイックリターンミラー２３を数回駆動させる。イオナイザ８０によってイオン化された空気は、上述したように、ローパスフィルタ２５ａ及び赤外線吸収フィルタ２５ｂを収容する空間内を徐々に拡散するが、クイックリターンミラー２３を数回正逆に往復回転駆動させることにより、当該空間内の空気がこのクイックリターンミラー２３によって扇がれて攪拌されるので、このイオン化された空気は、より早く且つより広範囲に送り込まれる。そして、所定の回数クイックリターンミラー２３を駆動させた後、ＣＰＵ４１は、処理をＳ０４に進める。
【００４８】
Ｓ０４では、ＣＰＵ４１は、モータドライバ４３に対して駆動停止命令を出力して、フォーカルプレーンシャッタ２４の先幕を閉じさせる。そして、フォーカルプレーンシャッタ２４は、撮影に備えたチャージ状態に戻り、ローパスフィルタ２５ａ及び赤外線吸収フィルタ２５ｂを収容する空間は遮蔽される。
【００４９】
次のＳ０５の処理では、ＣＰＵ４１は、インバータ８４に対して駆動停止命令を出力し、イオナイザ制御処理を完了する。
【００５０】
以上の動作により、操作者が操作パネル７０の図示せぬ静電気除去ボタンを押すと、ローパスフィルタ２５ａ及び赤外線吸収フィルタ２５ｂを含む空間内にイオン化された空気が導入され、そのイオン化された空気は、これらフィルタ２５ａ，２５ｂに帯電する電荷を減少させる。
【００５１】
従って、本実施形態のデジタルカメラ１によると、筐体１０内に漂う塵埃がローパスフィルタ２５ａ及び赤外線吸収フィルタ２５ｂに引き寄せられることが少なくなるので、ＣＣＤエリアセンサ２６が得る被写体像の画像の画質が低下することを抑制することができる。また、これらフィルタ２５ａ，２５ｂに付着してしまった塵埃が除去され易くもなる。
【００５２】
【実施形態２】
図４は、本発明の電子カメラの第２実施形態であるデジタルカメラ１’の概略光学構成を示す断面図である。
【００５３】
本例のデジタルカメラ１’は、実施形態１で示したデジタルカメラ１と同一の構成である。但し、撮影レンズ２１及び絞り２２を内蔵する図示せぬ交換レンズの鏡筒を取り付けるためのマウント１１とクイックリターンミラー２３とに挟まれる空間に、ローパスフィルタ２５’ａ及び赤外線吸収フィルタ２５’ｂを配置するとともに、針状電極８１をクイックリターンミラー２３へ向けた状態でイオナイザ８０を筐体１０内に配置した構成としている。
【００５４】
このような配置において、操作パネル７０上の図示せぬ静電気除去ボタンが操作者によって押されると、筐体１０内のクイックリターンミラー２３を含む空間（ミラーボックス）全体に、イオン化された空気が拡散する。また、このとき、フォーカルプレーンシャッタ２４は、先幕が後幕から離れる方向に移動されることによって全開され、クイックリターンミラー２３は、数回正逆に往復回転駆動される。
【００５５】
これにより、イオナイザ８０によってイオン化された空気は、ＣＣＤエリアセンサ２６，ローパスフィルタ２５’ａ，赤外線吸収フィルタ２５’ｂ，クイックリターンミラー２３，及び、フォーカルプレーンシャッタ２４などに帯電する電荷と結びつく。
【００５６】
従って、本実施形態のデジタルカメラ１’によっても、筐体１０内に漂う塵埃が、ＣＣＤエリアセンサ２６の受光面２６ａ，ローパスフィルタ２５’ａ，及び、赤外線吸収フィルタ２５’ｂに引き寄せられることが少なくなるので、ＣＣＤエリアセンサ２６が得る被写体像の画像の画質が低下することを抑制することができる。また、この受光面２６ａ及び各フィルタ２５’ａ，２５’ｂに付着してしまった塵埃が除去され易くもなる。
【００５７】
【実施形態３】
図５は、本発明の電子カメラの第３実施形態であるデジタルカメラ２におけるフォーカルプレーンシャッタ２４からＣＣＤエリアセンサ２６までの概略構成を示す分解斜視図である。また、図６は、本例のデジタルカメラ２のＣＣＤエリアセンサ２６及び各フィルタ２５ａ，２５ｂに除電ブラシ装置９０を取り付けた状態を示す側面図であり、図７は、本例のデジタルカメラ２の概略内部構成を示すブロック図である。
【００５８】
本実施形態のデジタルカメラ２は、実施形態１で示したデジタルカメラ１と比較すると、ローパスフィルタ２５ａ及び赤外線吸収フィルタ２５ｂの近傍に配置したイオナイザ８０の代わりに、フォーカルプレーンシャッタ２４とローパスフィルタ２５ａとの間に除電ブラシ装置９０を設けていることを除いては、他の構成を同一としている。従って、図５及び図６では、デジタルカメラ２のフォーカルプレーンシャッタ２４，除電ブラシ装置９０，各フィルタ２５ａ，２５ｂ，及び、ＣＣＤエリアセンサ２６のみを図示し、他の構成については、図示を省略している。
【００５９】
図５に示すように、ＣＣＤエリアセンサ２６の受光面２６ａには、互いに貼り合わされたローパスフィルタ２５ａ及び赤外線吸収フィルタ２５ｂが、接着されている。
【００６０】
これらフィルタ２５ａ，２５ｂとフォーカルプレーンシャッタ２４との間に備えられる除電ブラシ装置９０は、ブラシ９１と、導体からなるとともに接地された支持軸９２と、下端にスプールギア９３ａを設けるとともにネジ山が形成された駆動軸９３と、回転軸の先端にピニオンギア９４ａを設けたモータ９４とから、構成されている。
【００６１】
ブラシ９１は、導体である平板９１ａと導電性を有する複数の繊維９１ｂとから、構成される。この平板９１ａは、ＣＣＤエリアセンサ２６の受光面２６ａの幅よりも若干長い長辺を有する略短冊状に形成されており、長辺側の一方の側縁には、複数の繊維９１ｂが、一定間隔で平板９１ａの短手方向に向けて植設されている。
【００６２】
支持軸９２及び駆動軸９３は、ＣＣＤエリアセンサ２６の受光面２６ａの幅と同程度の距離だけ離れた位置にて、互いに平行に、且つ、受光面２６ａと平行に配置される。また、平板９１ａの一端側近傍には、支持軸９２が貫通しているとともに、他端側近傍には、駆動軸９３が捻じ込まれている。そして、モータ９４が駆動すると、ピニオンギア９４ａ及びスプールギア９３ａを介して駆動軸９３が回転され、支持軸９２によって回転を規制された平板９１ａが、受光面２６ａに沿って駆動される。
【００６３】
この除電ブラシ装置９０は、図６に示すように、ブラシ９１の繊維９１ｂがローパスフィルタ２５ａの表面に接触するように配置されており、駆動軸９３がモータ９４によって回転されると、ブラシ９１は、ローパスフィルタ２５ａの表面に接触した状態で、ＣＣＤエリアセンサ２６の受光面２６ａに沿って平行に移動する。
【００６４】
また、図７に示すように、内部回路４０のＣＰＵ４１は、除電ブラシ駆動回路９５に接続されている。そして、操作パネル７０において図示せぬ静電気除去ボタンが押されると、ＣＰＵ４１は、除電ブラシ制御回路９５に駆動開始命令を出力し、除電ブラシ制御回路９５は、モータ９４の駆動の制御を開始する。
【００６５】
これにより、操作者が操作パネル７０上の図示せぬ静電気除去ボタンを押すと、ブラシ９１が、ローパスフィルタ２５ａの表面に沿って平行移動し、当該フィルタ２５ａに帯電していた電荷を支持軸９２を介して放電させる。また、ローパスフィルタ２５ａに付着していた塵埃は、ブラシ９１によって掃き落とされる。
【００６６】
従って、本実施形態のデジタルカメラ２によると、筐体１０内に漂う塵埃がローパスフィルタ２５ａ及び赤外線吸収フィルタ２５ｂに引き寄せられることが少なり、また、ローパスフィルタ２５ａの表面に付着する塵埃を取り除くことができるので、ＣＣＤエリアセンサ２６が得る被写体像の画像の画質が低下することを抑制することができる。
【００６７】
【発明の効果】
以上に説明したように、本発明の電子カメラによると、カメラの内部、特に、撮影レンズと撮像デバイスとの間に配置される各種のフィルタや撮像デバイスの受光面が帯びる電荷を除去して塵埃を付着し難くすることにより、撮像デバイスが得る画像の画質の低下を抑制することができる。
【図面の簡単な説明】
【図１】  本発明の電子カメラの第１実施形態であるデジタルカメラの概略光学構成を示す断面図
【図２】  本例のデジタルカメラの概略内部構成を示すブロック図
【図３】  本例のデジタルカメラにおいて実行されるイオナイザ制御処理の制御内容を示すフローチャート
【図４】  本発明の電子カメラの第２実施形態であるデジタルカメラの概略光学構成を示す断面図
【図５】  本発明の電子カメラの第３実施形態であるデジタルカメラのフォーカルプレーンシャッタからＣＣＤエリアセンサまでの概略構成を示す分解斜視図
【図６】  本例のデジタルカメラの各フィルタ及びＣＣＤエリアセンサに除電ブラシ装置を取り付けた状態を示す側面図
【図７】  本例のデジタルカメラの概略内部構成を示すブロック図
【符号の説明】
１      デジタルカメラ
２３      クイックリターンミラー
２４      フォーカルプレーンシャッタ
２５ａ    ローパスフィルタ
２５ｂ    赤外線吸収フィルタ
２６      ＣＣＤエリアセンサ
４１      ＣＰＵ
４３      モータドライバ
４７      ＤＳＰ
５０      画像メモリ
８０      イオナイザ
８１      針状電極
８２      アース電極
８３      高電圧回路
８４      インバータ
９０      除電ブラシ
１００      記録媒体
【図１】
0004243417.tif 000002
【図２】
0004243417.tif 000003
【図３】
0004243417.tif 000004
【図４】
0004243417.tif 000005
【図５】
0004243417.tif 000006
【図６】
0004243417.tif 000007
【図７】
0004243417.tif 000008